(57)【要約】  第１部品１１０の検知信号送信部１２３は、周波数スペクトラムが異なる複数の検知信号を第２部品２１０へと送信する。この検知信号を受信した第２部品２１０の検知信号返信部２３３は、受信した検知信号それぞれの信号波形を返信信号として返信する。第１部品１１０の信号判断部１２６は、返信された返信信号の正当性を、送信した検知信号に基づいて判断する。不当と判断されると、耐タンパ制御部１２７は通信の制限を加える。
2012176360.tif 000002
【特許請求の範囲】
【請求項１】
通信用の第１部品が実装された第１回路基板と、通信用の第２部品が実装された第２回路基板とを有し、両部品間で通信を行う通信装置であって、
前記第１部品は、
周波数スペクトラムが異なる複数の検知信号を前記第２部品へと送信する送信部を備え、
前記第２部品は、
受信した検知信号それぞれの信号波形を返信信号として返信する返信部を備え、
前記第１部品は、
送信した検知信号を参照して、受信した返信信号の正当性を判断する判断部と、
前記判断部により不当と判断されると、両部品間の通信を制限する制御部と、
を備えることを特徴とする通信装置。
【請求項２】
前記複数の検知信号は、
第１ビット列を構成するビットによりキャリアを変調して得られた検知信号と、
前記第１ビット列における個々の０および１の個数をそれぞれｍ倍（ｍは２以上の自然数）に倍加したビット列を構成するビットによりキャリアを変調して得られた検知信号とを含む
ことを特徴とする請求項１に記載の通信装置。
【請求項３】
前記複数の検知信号は、
前記第１ビット列とは０および１の並びが異なる第２ビット列を構成するビットによりキャリアを変調して得られた検知信号と、
前記第２ビット列における個々の０および１の個数をそれぞれｎ倍（ｎは２以上の自然数）に倍加したビット列を構成するビットによりキャリアを変調して得られた検知信号と
をさらに含むことを特徴とする請求項２に記載の通信装置。
【請求項４】
前記判断部が受信する電位の閾値を変更する閾値変更部を備える
ことを特徴とする請求項１に記載の通信装置。
【請求項５】
前記第１部品および前記第２部品はそれぞれアンテナを有し、
それら２つの部品は、互いのアンテナが配置された部分を対向させた状態で密着型の無線通信を行う
ことを特徴とする請求項１に記載の通信装置。
【請求項６】
前記複数の検知信号は、周波数が異なる正弦波の信号である
ことを特徴とする請求項１に記載の通信装置。
【請求項７】
前記複数の検知信号のそれぞれは、疑似ランダムビットシーケンスから生成されたビット列を構成するビットによりキャリアを変調して得られた検知信号である
ことを特徴とする請求項１記載の通信装置。
【請求項８】
通信用の第１部品が実装された第１回路基板と、通信用の第２部品が実装された第２回路基板とを有し、両部品間で通信を行う通信装置であって、
前記第１部品は、
周波数スペクトラムが異なる複数の検知信号を前記第２部品へと送信する送信部を備え、
前記第２部品は、
受信すべきの検知信号の情報を記憶する記憶部と、
記憶された情報に参照して、受信した検知信号の正当性を判断する判断部と、
前記判断部による判断結果を前記第１部品へと送信する送信部を備え、
前記第１部品は、
受信した判断結果により不当と示されると、両部品間の通信を制限する制御部
を備えることを特徴とする通信装置。
【請求項９】
通信用の第１部品が実装された第１回路基板と、通信用の第２部品が実装された第２回路基板とを有し、両部品間で通信を行う通信装置であって、
前記第２部品は、
周波数スペクトラムが異なる複数の検知信号を前記第１部品へと送信する送信部を備え、
前記第１部品は、
受信した検知信号の正当性を判断する判断部と、
前記判断部により不当と判断されると、両部品間の通信を制限する制御部と、
を備えることを特徴とする通信装置。
【請求項１０】
通信用の第１部品が実装された第１回路基板を有する第１装置と、通信用の第２部品が実装された第２回路基板を有する第２装置とを有し、両装置間で通信を行う通信システムであって、
前記第１部品は、
周波数スペクトラムが異なる複数の検知信号を前記第２部品へと送信する送信部を備え、
前記第２部品は、
受信した検知信号それぞれの信号波形を返信信号として返信する返信部を備え、
前記第１部品は、
送信した検知信号を参照して、受信した返信信号の正当性を判断する判断部と、
前記判断部により不当と判断されると、両部品間の通信を制限する制御部と、
を備えることを特徴とする通信システム。
【請求項１１】
通信用の第１部品が実装された第１回路基板と、通信用の第２部品が実装された第２回路基板とを有し、両部品間で通信を行う通信装置であって、
前記第１部品は、
疑似ランダムビットシーケンスから生成されたビット列を構成するビットによりキャリアを変調して得られた検知信号を前記第２部品へと送信する送信部を備え、
前記第２部品は、
受信した検知信号それぞれの信号波形を返信信号として返信する返信部を備え、
前記第１部品は、
送信した検知信号を参照して、受信した返信信号の正当性を判断する判断部と、
前記判断部により不当と判断されると、両部品間の通信を制限する制御部と、
を備えることを特徴とする通信装置。
【請求項１２】
他装置との間で通信を行う通信装置であって、
周波数スペクトラムが異なる複数の検知信号を前記他装置へと送信する送信部と、
前記検知信号それぞれの信号波形を返信信号として前記他装置から受信すると、受信した返信信号の正当性を判断する判断部と、
前記判断部により不当と判断されると、前記他装置との間の通信を制限する制御部と、
を備えることを特徴とする通信装置。
【請求項１３】
前記複数の検知信号は、
第１ビット列を構成するビットによりキャリアを変調して得られた検知信号と、
前記第１ビット列における個々の０および１の個数をそれぞれｍ倍（ｍは２以上の自然数）に倍加したビット列を構成するビットによりキャリアを変調して得られた検知信号とを含む
ことを特徴とする請求項１２に記載の通信装置。
【請求項１４】
前記複数の検知信号は、
前記第１ビット列とは０および１の並びが異なる第２ビット列を構成するビットによりキャリアを変調して得られた検知信号と、
前記第２ビット列における個々の０および１の個数をそれぞれｎ倍（ｎは２以上の自然数）に倍加したビット列を構成するビットによりキャリアを変調して得られた検知信号と
をさらに含むことを特徴とする請求項１３に記載の通信装置。
【請求項１５】
前記判断部が受信する電位の閾値を変更する閾値変更部を備える
ことを特徴とする請求項１２に記載の通信装置。
【請求項１６】
他装置との間で通信を行う通信装置であって、
周波数スペクトラムが異なる複数の検知信号を受信すると、受信した検知信号それぞれの信号波形を返信信号として返信する返信部
を備えることを特徴とする通信装置。
【請求項１７】
前記他装置は、周波数スペクトラムが異なる複数の検知信号を前記他装置へと送信する送信部と、前記検知信号それぞれの信号波形を返信信号として前記他装置から受信すると、受信した返信信号の正当性を判断する判断部と、前記判断部により不当と判断されると、前記他装置との間の通信を制限する制御部と
を備えることを特徴とする請求項１６に記載の通信装置。
【発明の詳細な説明】
【技術分野】
【０００１】
本発明は、部品間の通信における不正アクセスに対する耐タンパ性を高める技術に関する。
【背景技術】
【０００２】
回路基板上を流れる信号のプロービングを困難にして耐タンパ性を向上させる技術がある。例えば、特許文献１では、秘匿信号を受信する予定の部品に対して、検出用信号を出力し、この部品が受信した検出用信号の波形歪みを検出することで、プロービングによる不正アクセスの有無を判断する手法がとられている。【０００３】
この特許文献１に開示された内容について図３０、図３１を用いて説明する。【０００４】
図３０は、回路基板１０００の断面図である。【０００５】
部品１１１１の端子１１１６から部品１１１２の端子１１１７へと秘匿信号が流れる場合（箔１１２１、ビア１１２２、箔１１２３、ビア１１２６および箔１１２７を経由）、部品１１１１が検出用信号を出力すると、この検出用信号を受信した部品１１１２は、受信した信号の波形が正常かどうかを確認する。【０００６】
図３１は、部品１１１１と部品１１１２との間に流れる検出用信号の波形の例を説明する図である。【０００７】
図３１（ａ）は、正常な検出用信号の波形を示す。これに対して、図３１（ｂ）、図３１（ｃ）の実線部分は、観測点１１１３などがプロービングされたときの異常な検出用信号の波形を示すものである。【０００８】
特許文献１によると、図３１（ｂ）のように立ち上がりや立ち下がりが鈍い波形の異常検出は、ハイリファレンス電位１２１１を上回った期間やローリファレンス電位１２１２を下回った期間を、予め記憶している正常な受信のときの期間と比較することに行う。また、図３１（ｃ）のように、立ち上がりや立ち下がりにリンギングが生じる波形の異常検出は、ハイリファレンス電位１２２１を上回ったか（ローリファレンス電位１２２２を下回ったか）どうかを判断することにより行う。
【先行技術文献】
【特許文献】
【０００９】
【特許文献１】特開２００５−１１６８９７号公報
【発明の概要】
【発明が解決しようとする課題】
【００１０】
しかしながら、特許文献１の構成では、経時的な波形の変化を捉えるべく、検出用信号の送信周波数より高速な周波数でサンプリングを行う必要がある。【００１１】
つまり、図３１（ｂ）のような波形の検出には、ハイリファレンス電位１２１１を上回った期間（ローリファレンス電位１２１２を下回った期間）を検出するためには、非常に短い間隔で電位をモニタする必要がある。【００１２】
本発明はこのような問題に鑑みてなされたものであって、回路基板間での通信において、経時的な波形の変化を捉えずとも、耐タンパ性に寄与し得る通信装置を提供することを目的とする。
【課題を解決するための手段】
【００１３】
本発明に係る通信装置は、通信用の第１部品が実装された第１回路基板と、通信用の第２部品が実装された第２回路基板とを有し、両部品間で通信を行う通信装置であって、前記第１部品は、周波数スペクトラムが異なる複数の検知信号を前記第２部品へと送信する送信部を備え、前記第２部品は、受信した検知信号それぞれの信号波形を返信信号として返信する返信部を備え、前記第１部品は、送信した検知信号を参照して、受信した返信信号の正当性を判断する判断部と、前記判断部により不当と判断されると、両部品間の通信を制限する制御部と、を備えることを特徴としている。
【発明の効果】
【００１４】
本発明に係る通信装置によれば、周波数スペクトラムが異なる複数の検知信号を送信することで、複数の周波数スペクトラムを反映した複数の信号波形を得ることができる。これにより、回路基板間（伝送線路上）の透過係数の変化を検出することができ、経時的な波形の変化を捉えずとも、耐タンパ性に寄与し得る通信装置を提供することができる。
【図面の簡単な説明】
【００１５】
【図１】実施の形態１における通信装置１の外観の断面図
【図２】通信装置１の機能ブロック図
【図３】パターン生成部１２４が生成するデータパターンの例を示す図
【図４】秘匿データを送受する際の処理の流れを示す図
【図５】検知信号送信部１２３による検知信号の送信処理の流れを示す図
【図６】プローブが追加されたときの、通信装置１の外観の断面図
【図７】送信データレート４Ｇｂｐｓのときの、伝送路の透過特性と伝送結果を示す図
【図８】送信データレート２Ｇｂｐｓのときの、伝送路の透過特性と伝送結果を示す図
【図９】送信データレート１Ｇｂｐｓのときの、伝送路の透過特性と伝送結果を示す図
【図１０】通信装置の外観の断面図
【図１１】通信装置の外観の断面図
【図１２】通信装置の外観の断面図
【図１３】図１０においてプローブが追加されたときの通信装置の外観の断面図
【図１４】図１においてプローブが追加されたときの通信装置の外観の断面図
【図１５】図１０においてループアンテナが追加されたときの通信装置の外観の断面図
【図１６】図１１においてループアンテナが追加されたときの通信装置の外観の断面図
【図１７】図１２においてループアンテナが追加されたときの通信装置の外観の断面図
【図１８】秘匿データを送受する際の処理の流れを示す図
【図１９】実施の形態２における通信装置２の機能ブロック図
【図２０】秘匿データを送受する際の処理の流れを示す図
【図２１】検知信号の変形例を示す図
【図２２】通信装置３の機能ブロック図
【図２３】秘匿データを送受する際の処理の流れを示す図
【図２４】通信装置４の機能ブロック図
【図２５】検知信号送信部の変形例を示す図
【図２６】携帯電話機６００などを示す図
【図２７】携帯電話機６００とメモリカード７００のブロック図
【図２８】（ａ）携帯電話機６０１とクレードル７０１との間で無線通信を行う例を説明するための図、（ｂ）携帯電話機６０１と無接点充電パッド７０２との間で無線通信を行う例を説明するための図
【図２９】監視カメラ６０３と通信ユニット７０３との間で無線通信を行う例を説明するための図
【図３０】従来の特許文献１における回路基板の断面図
【図３１】従来の特許文献１における回路基板の動作波形を示す図
【発明を実施するための形態】
【００１６】
以下、実施の形態について、図面を参照しながら説明する。
【００１７】
（実施の形態１）
＜構成＞
図１は、通信装置１の外観の断面図である。図２は、通信装置１の機能ブロック図である。
【００１８】
本実施の形態では、ひとつの通信装置内の部品間で通信を行う場合において、通信方式として密着型の無線通信の方式を例に挙げて説明する。
【００１９】
とりわけ、非接触通信で用いるような１ＧＨｚ以上の通信帯域となると、経時的な波形の変化を捉えるためには、高速サンプリング対応のＡ／Ｄ変換器を備える高性能オシロスコープに相当する回路が必要とり、装置の回路面積増加や高コスト化を招くという問題がある。このため、従来技術に対する効果が大きいので、例として取り上げている。
【００２０】
図１に示すように、第１部品１１０および第２部品２１０のパッケージ表面にはアンテナ１３１、アンテナ２３１が配されている。
【００２１】
また、第１部品１１０と第３部品３１０は第１回路基板１００上にて導体の配線によって接続されている。
【００２２】
両部品間１１０、２１０においては、アンテナ１３１、アンテナ２３１が密着（例えば、２ｍｍ以下）した状態で、アンテナ間の誘導結合（磁界結合）を利用した無線通信を行うものである。
【００２３】
特に、ＣＰＵ１２１やコア１２２など第１部品１１０に搭載されているブロックが秘匿性のある信号を第２部品２１０に送信または受信する際には、耐タンパ制御部１２７に送信または受信の許可をリクエストし、許可が下りたときのみ秘匿性のある信号（以下、秘匿性のある信号を「秘匿データ」と呼ぶ。）を第２部品２１０に送信または受信を行う。
【００２４】
図２に示すように、通信装置１は、第１部品１１０と第３の部品３１０とを搭載した第１回路基板１００、第２部品２１０を搭載した第２回路基板２００を備える。
【００２５】
第１部品１１０は、ＣＰＵ１２１、コア１２２、検知信号送信部１２３、検知信号判断部１２６、耐タンパ制御部１２７、外部バスＩＦ部１２８、メモリＩＦ部１２９、バッファ１３０、アンテナ１３１、内部バス１３２、外部端子１３３を有する。
【００２６】
第２部品２１０は、内部バス２３２、メモリＩＦ部２２９、メモリ部２３０、アンテナ２３１、検知信号返信部２３３を有する。
【００２７】
なお、図２の例では第１部品１１０はシステムＬＳＩ、第２部品２１０はメモリ部品として構成されているが、部品の組み合わせはこれに限られない。
【００２８】
ここで、ＣＰＵ１２１は、汎用マイコンなど第１部品１１０の制御を行うブロックであり、コア１２２は、画像のコーデックエンジンなど特定用途を目的としたブロックである。
【００２９】
検知信号送信部１２３は、複数のデータパターンを生成するパターン生成部１２４と、生成されたデータパターンのビット列を構成するビットを基に、キャリアを変調して得られた検知信号をアンテナ１３１を介して送信する送信部１２５を備える。
【００３０】
検知信号判断部１２６は、第２部品２１０から送られてくる返信信号の正当性を判断する。
【００３１】
耐タンパ制御部１２７は、秘匿データの耐タンパ性を確保する機能ブロックである。具体的にいうと、耐タンパ制御部１２７は、検知信号判断部１２６の判断結果が不当を示すのであれば、秘匿データを送受しようとする主体のブロック（例えばＣＰＵ１２１）に対して、秘匿データの送受を禁止する。これに対して、検知信号判断部１２６の判断結果が正当を示すのであれば、秘匿データを送受しようとする主体のブロックに対して、秘匿データの送受を許可する。
【００３２】
また、耐タンパ制御部１２７は、通信相手の第２部品２１０に対して、検知信号判断部１２６の判断結果を示す信号を送信する。
【００３３】
外部バスＩＦ部１２８は、第１部品１１０と第３部品３１０とを接続するインターフェイスである。
【００３４】
バッファ１３０は、検知信号送信部１２３が送信した検知信号に対応するデータパターンを一時的に記憶する。
【００３５】
アンテナ１３１、２３１は、例えば、導体配線をループ上にレイアウトして構成するコイルアンテナや、基板表面のランドを対向して構成するキャパシタアンテナ、または、市販のアンテナ部品などにより構成されるアンテナである。
【００３６】
第２部品２１０の検知信号返信部２３３は、第１部品１１０の検知信号送信部１２３から送信されてきた検知信号を反映した返信信号を返信する。
【００３７】
具体的には、検知信号返信部２３３は、受信した検知信号をバッファリングし、受信が終わるとバッファリングした検知信号を、そのまま送信元へと返信するループバック回路から構成される。
【００３８】
メモリ部２３０は、例えばフラッシュメモリやＤＤＲメモリなどから構成される。
【００３９】
続いて、検知信号送信部１２３のパターン生成部１２４が生成するデータパターンの例を図３のテーブル１２４ａに示す。
【００４０】
データパターンＡの各ビット列について説明すると、「周波数１」は０１０１０１０１、「周波数２」は００１１００１１００１１００１１、「周波数３」は、０００１１１０００１１１０００１１１０００１１１、「周波数４」は００００１１１１００００１１１１００００１１１１００００１１１１である。
【００４１】
このように、「周波数１」の０と１が並んだ０１というビット列において、個々の０および１の個数をそれぞれ２倍、３倍、４倍したビット列が、それぞれ「周波数２」、「周波数３」、「周波数４」のビット列となっている。「周波数１」「周波数２」「周波数３」「周波数４」の関係性は他のデータパターンＢ〜Ｆについても同様である。
【００４２】
テーブル１２４ａにおいて、「周波数１」は、検知信号送信部が送信に用いる周波数の範囲のうちの最高の周波数である。「周波数２」「周波数３」「周波数４」は、この最高の周波数のそれぞれ１／２、１／３、１／４の周波数である。これは、個々の０および１の個数を倍加するので「周波数２」〜「周波数４」は冗長なデータとなり、実質的な送信データレートが低下することを示している。例えば、「周波数１」（等倍）の送信データレートが４Ｇｂｐｓとすると、「周波数２」（１／２）の送信データレートは２Ｇｂｐｓ、「周波数３」（１／３）の送信データレートは約１．３Ｇｂｐｓ、「周波数４」（１／４）の送信データレートは１Ｇｂｐｓとなる。
【００４３】
図３のように多様なデータパターンを検知信号として用いると、検知信号が含む周波数スペクトラムを多彩にすることができ、プロービングがもたらす透過特性の変化を発見する確率を高めることができる。
【００４４】
＜動作＞
第１部品１１０と第２部品２１０との間で秘匿データを送受する際の処理の流れについて図４を用いて説明する。
【００４５】
なお、以下の例では、ＣＰＵ１２１が第２部品２１０から秘匿データを受信する場合を説明するが、送受の方向はこれに限られないし、送受の主体は、ＣＰＵ１２１に限らず、コア１２２など他の機能ブロックでも構わない。
【００４６】
まず、ＣＰＵ１２１から秘匿データの受信に関するリクエストを受け付けた耐タンパ制御部１２７は、第２部品２１０に対して、検知判断コマンドを送信する（Ｓ３１１）。この検知判断コマンドを受信した第２部品の検知信号返信部２３３は、アンテナ２３１や内部バス２３２の使用権を得て、後に続くループバック送信に備える。
【００４７】
続いて、耐タンパ制御部１２７は、検知信号送信部１２３に検知信号の送信を指示する。指示を受けた検知信号送信部１２３のパターン生成部１２４は、図３のようなデータパターンを生成し、生成されたデータパターンのビット列を構成するビットを基に、キャリアを変調して得られた検知信号を送信部１２５が送信する。また、バッファ１３０は、送信した検知信号に対応するデータパターンを記憶する（Ｓ３１２）。この送信の詳細については図５を用いて後述する。
【００４８】
第２部品２１０の検知信号返信部２３３は、検知信号を受信すると、その信号波形をそのまま返信信号として第１部品１１０へと送信する（Ｓ３３１：ループバック送信）。
【００４９】
検知信号判断部１２６は、受信した返信信号を復調してビット列を取り出す。そして、バッファ１３０に格納されたデータパターンの中から、受信した返信信号に対応する送信した検知信号のビット列を特定する。
【００５０】
その後、取り出したビット列と特定したビット列とを比較し、ビット列の並びの同一性に基づいて、受信した返信信号の正当性を判断する（Ｓ３１３）。
【００５１】
ステップＳ３１３で正当と判断されると、耐タンパ制御部１２７は、秘匿データの受信の許可をＣＰＵ１２１に通知するとともに、検知結果を第２部品２１０に送信する（Ｓ３１４）。検知結果を受けた第２部品２１０の検知信号返信部２３３は、内部バス２３２の使用権をメモリＩＦ部２２９に渡し、メモリＩＦ部２２９はメモリ部２３０に対する外部アクセスを許可する。
【００５２】
そして、ＣＰＵ１２１は、第２部品２１０のメモリ部２３０からの秘匿データの受信を開始する（Ｓ３３２、Ｓ３１５）。
【００５３】
これに対して、ステップＳ３１３で不当と判断されると、耐タンパ制御部１２７は、秘匿データの受信の不許可の通知をＣＰＵ１２１に送信するとともに、検知結果を第２部品２１０に送信する（Ｓ３１６）。これらの通知を受けたＣＰＵ１２１やメモリＩＦ部２２９は、秘匿データへのアクセスに制限を加える（秘匿データの送受を中止させる）。
【００５４】
なお、アクセス制限の代わりにまたはアクセス制限と共に、エラーのログを記録したり（Ｓ３１７）、管理者に不正アクセスがあった旨を通報したり（Ｓ３１８）、第１部品にて警告を報知したり（Ｓ３１９）、システムの動作を停止したり、製造元に不正アクセスログを送信するようにしても構わない。
【００５５】
また、図４のような処理は、システム起動時に行ってもよいし、秘匿性のある信号のやり取りの前にチェックしてもよいし、所定時間ごとにチェックしてもよいし、検知信号判断部１２６による判断結果を秘匿データの伝送を開始する際の鍵として扱ってもよい。
【００５６】
＜検知信号送信の例＞
ここで、検知信号送信の処理（Ｓ３１２）の例を図５を用いて説明する。
【００５７】
まず、検知信号送信部１２３は、カウンタ値をリセットする（Ｓ４１）。そして、図３のテーブル１２４ａにしたがったデータパターンを生成して送信という処理を繰り返す。
【００５８】
具体的には、データパターンＡの
・「周波数１」のビット列０１０１０１０１・・・、
・「周波数２」のビット列００１１００１１００１１００１１・・・、
・「周波数３」のビット列０００１１１０００１１１０００１１１０００１１１・・・、
・「周波数４」のビット列００００１１１１００００１１１１００００１１１１００００１１１１・・・、
というように「周波数３０」のビット列まで順番に送信する（Ｓ４２Ａ）。なお、送信する各ビット列の数（もしくは送信時間）は、予め決められた値とする。
【００５９】
続いて、検知信号送信部１２３は、データパターンＢの
・「周波数１」のビット列０１１０１０１０・・・、
・「周波数２」のビット列００１１１１００１１００１１００・・・、
というように「周波数３０」のビット列まで順番に送信する（Ｓ４２Ｂ）。
【００６０】
さらに、検知信号送信部１２３は、データパターンＣおよびデータパターンＤについても同様に送信する（Ｓ４２Ｃ、Ｓ４２Ｄ）
検知信号送信部１２３は、ステップＳ４２Ａ〜Ｓ４２Ｄの送信処理を終えると、カウンタ値を１だけインクリメントし（Ｓ４３）、カウンタ値が１０になるまでステップＳ４２Ａ〜Ｓ４２Ｄの処理を繰り返す（Ｓ４４）。
【００６１】
なお、図５の送信の例は、あくまでも一例に過ぎず、送信に用いるデータパターンやその送信の順番、データパターンの組み合わせ、繰り返し回数などは適宜設定することができる。
【００６２】
＜検知信号、返信信号の波形の例＞
続いて、検知信号および返信信号の波形の例について図６〜図９を用いて説明する。
【００６３】
図６は、通信装置１の外観の断面図である。図１と比べると、両アンテナ１３１、２３１間の距離が若干離されており、アンテナ１３１には測定器（例えば、オシロスコープ）のプローブ５００が当てられている。プローブ５００によりアンテナ１３１に流れる秘匿データに不正アクセスが試みられている状況である。
【００６４】
誘導結合や容量結合技術を用いた近距離無線通信では、アンテナ間距離の若干の変更やプローブの追加がアンテナの透過特性に大きく影響し、正常伝送可能な周波数帯と正常伝送が困難になる周波数帯とに変化が発生する。
【００６５】
図７〜図９では、左半分のグラフ（Ａ）〜（Ｃ）がプローブ無しの正常な場合（図１）の特性を示し、右半分のグラフ（Ｄ）〜（Ｆ）がプローブ有りの不正アクセス下の場合（図５）の特性を示す。
【００６６】
図７〜図９のグラフ（Ａ）、（Ｄ）は、アンテナ１３１、２３１間の透過特性を示す。また、グラフ（Ｂ）、（Ｃ）、（Ｅ）、（Ｆ）はアンテナ１３１が受信する検知信号の波形を示す（いずれも送信クロック周波数は４ＧＨｚ）。
【００６７】
図７のグラフ（Ｂ）、（Ｅ）、（Ｃ）、（Ｆ）と図３のデータパターンとの関係は次の通りである。
・図７のグラフ（Ｂ）、（Ｅ）・・・データパターンＥの「周波数１」
・図７のグラフ（Ｃ）、（Ｆ）・・・データパターンＦの「周波数１」
・図８のグラフ（Ｂ）、（Ｅ）・・・データパターンＥの「周波数２」
・図８のグラフ（Ｃ）、（Ｆ）・・・データパターンＦの「周波数２」
・図９のグラフ（Ｂ）、（Ｅ）・・・データパターンＥの「周波数４」
・図９のグラフ（Ｃ）、（Ｆ）・・・データパターンＦの「周波数４」
図７〜図９の関係について説明すると、例えば、図７のグラフ（Ｂ）は、１０１０１００というビット列が送信データレート４Ｇｂｐｓで送られているのに対して、図８のグラフ（Ｂ）は、１１００１１００１１００００というビット列であるので、０１の個数が冗長になったことを反映して検知信号のハイ電位、ロー電位の送信区間が２倍となり、実質的な送信データレートは半分の２Ｇｂｐｓとなっている。このように、図７〜図９は、いずれも送信周波数は４ＧＨｚであるが、送信データレートは、それぞれ４Ｇｂｐｓ、２Ｇｂｐｓ、１Ｇｂｐｓとなっている。
【００６８】
ここで、グラフ（Ａ）とグラフ（Ｄ）とでアンテナの透過特性が違うのは、プローブ５００の挿入に伴いアンテナ１１８、２１８のアンテナ間ギャップが若干開いた影響や、プローブ５００の挿入自体の影響により、アンテナの透過特性がグラフ（Ａ）からグラフ（Ｄ）へと変化したものである。グラフ（Ｄ）では１Ｅ９の周波数付近に減衰のピークが生じていることがわかる。
【００６９】
このような透過特性の違いが、グラフ（Ｂ）とグラフ（Ｅ）のような波形の差分として表れるので、この差分を利用して不正アクセスの有無を判断することができる。
【００７０】
具体的には、検知信号判断部１２６は、グラフ（Ｅ）のような返信信号を受信すると、返信信号を復調し、復調したビット列が、送信した“１０１０１００”と同一かどうかを判断し、同一であれば正当という判断結果を出力し、同一でないならば不当という判断結果を出力する。
【００７１】
前述の通り、この判断結果に基づいて耐タンパ制御部１２７は秘匿データの送受の許可不許可を制御することとなる。
【００７２】
なお、図７のグラフ（Ｃ）とグラフ（Ｆ）との差分は比較的小さい。これは、グラフ（Ｃ）、（Ｆ）で用いている検知信号の周波数スペクトラムが、１Ｅ９の成分をあまり含んでいないためと考えられる。これに対して、図８のグラフ（Ｂ）とグラフ（Ｅ）の差分は顕著であり、このような差分は容易に検出することができる。
【００７３】
このように、本実施の形態では、周波数スペクトラムが異なる検知信号のバリエーションを増やすことで、プロービングがもたらす特定の周波数スペクトラムにおける透過特性の変化を見つけることができ、従来のように経時的な波形の変化を捉えることも必須でなくなる。これにより、不正アクセスの有無を検出することができ、秘匿性が要求される信号の伝送における耐タンパ性を向上させることができる。
【００７４】
また、特に、送信周波数がＧＨｚ帯を用いるような通信方式において、使用帯域の最高周波数帯から低域の周波数帯までの伝送路の透過特性を安価に検出することが可能となる。
【００７５】
また、本実施の形態では、不正アクセスの検出に必要なほとんどの機能（耐タンパ制御部１２７、検知信号判断部１２６、検知信号送信部１２３）を第１部品１１０に集約でき、第２部品２１０には検知信号返信部２３３のみ搭載すればよく、特に第２部品２１０のコストについては比較的に安価に本実施の形態を実現可能である。
【００７６】
＜構成や配置の例＞
ここで、図１に示した例とは異なる構成や配置の例について説明する。
【００７７】
図１の例では、アンテナ１３１は第１部品１１０に搭載されているとしたが、これに限られない。
【００７８】
図１０のように、アンテナ１３１ａを第１部品１１１上ではなく回路基板１０１に配置してもよい。図１０では、アンテナ２３１ａも第２部品２１１上ではなく回路基板２０１上に配置されている。
【００７９】
また、図１１のように、第１回路基板１０２の第１部品１１２および第２回路基板２０２の第２部品２１２のベアチップ内にそれぞれアンテナ１３１ｂ、アンテナ２３１ｂがレイアウトされていてもよい。
【００８０】
さらに、図１２のように、回路基板１０３上に、第１部品１１３（アンテナ１３１を含む）、第２部品２１３（アンテナ２３１ｃを含む）のベアチップが積層実装され、同一パッケージ内にレイアウトされていてもよい。
【００８１】
＜プローブ追加の例＞
ここで、図６に示した例とは異なる形態のプローブ追加の例について説明する。
【００８２】
図６の例では、回路基板間のアンテナ間にプローブ５００を追加しているが、これに限られない。
【００８３】
図１３のように回路基板間のアンテナ間にプローブ５０１を追加する場合も考えられる。
【００８４】
また、プローブに限らず、図１４〜図１７に示すように、アンテナ間にループアンテナ５０２〜５０５を追加したりその他異物を挿入した場合にもアンテナ間ギャップが変化したり、アンテナの透過特性が変化することがあるので、本実施の形態で説明した効果を享受することができる。
【００８５】
＜ループバックでない返信信号の例＞
前述の説明では、検知信号返信部２３３は受信した検知信号をそのまま返信する（ループバック送信する）ものとして説明したが、これに限られない。
【００８６】
例えば、図１８に示すように、検知信号返信部２３３は受信した検知信号を復調し（Ｓ３３１ａ）、復調した情報を変調した信号を返信信号として送信するとしても構わない（Ｓ３３１ａ）。このような構成は、検知信号返信部２３３の復調能力が優れている場合や、第１部品１１０（特に検知信号判断部１２６）の処理負荷を軽減したい場合には有効である。
【００８７】
＜その他＞
検知信号送信部１２３、検知信号判断部１２６の受信回路は、差動入力バッファを用いて信号を受信する際、閾値電圧を０Ｖ電位としても良いし、ユーザ設定などで、上下の電圧に調整可能なように構成してもよい。かかる構成によれば、信号波形の変化をより敏感に受信することが可能で耐タンパ性の向上が期待できる。
【００８８】
また、第１部品１１０のアンテナ１３１と第２部品２１０のアンテナ２３１間が単方向通信である場合、検知信号を一旦受信してから、送受信方向を切り替えた後で、検知信号を返信するようにしてもよい。第１部品１１０および第２部品２１０が複数本のアンテナを有するなど、双方向通信が可能な場合には、第２部品２１０は受信すると直ちに返信信号を返信するとしてもよい。
【００８９】
（実施の形態２）
実施の形態２は、実施の形態１とは異なり第２部品において検知信号の正当性を判断するものである。正当性を第１部品で判断しようとすると、第２部品を経由して戻って来たいわば往復した信号を用いることになる。これに対して、第２部品で判断すると片道分だけ伝送された信号を用いて判断でき、より透過特性の変化を精度よく検知できる。
【００９０】
図１９は、実施の形態２における通信装置２のブロック図である。図１９において、図２と同じ構成要素については同じ符号を用い、説明を省略する。
【００９１】
第１回路基板１０５の第１部品１１５は、第４回路基板４０５の第４部品４１５とのデータを送受を行うための、コアＩＦ部１４０およびアンテナ１４１を備える。
【００９２】
第２回路基板２０５の第２部品２１５は、パターン記憶部２４２、検知信号判断部２２６および判断結果送信部２２０を備える。
【００９３】
パターン記憶部２４２は、受信すべき検知信号のパターンを記憶している。その記憶内容は例えば図３で示したものと同様である。
【００９４】
検知信号判断部２２６は、パターン記憶部２４２に記憶された情報を参照して第１部品１１５から受信した検知信号の正当性を判断する。
【００９５】
判断結果送信部２２０は、検知信号判断部２２６の判断結果を第１部品１１５へと送信する。
【００９６】
＜動作＞
第１部品１１５と第２部品２１５との間で秘匿データを送受する際の処理の流れについて図２０を用いて説明する。
【００９７】
第２部品２１５の検知信号判断部２２６は、第１部品１１５から検知信号を受信すると（Ｓ３１２）、受信した検知信号を、パターン記憶部２４２に記憶された正常な検知信号に参照して、両信号が同一であれば正当と判断し、両信号が同一でないならば不当と判断する（Ｓ１８３１）。そして、判断結果送信部２２０は、この判断の結果を第１部品１１５へと送信する（Ｓ１８３２）。
【００９８】
第１部品１１５の耐タンパ制御部１２７は、判断結果に応じて処理を行う（Ｓ１８０１）。この処理の詳細は図４の下部と同様であるため説明を省略する。
【００９９】
実施の形態２によれば、第２部品２１０で検知信号の正当性を判断することにより、ループバックによりアンテナ間を往復させるより信号劣化が少なく、より厳密な検知信号判断ができ、耐タンパ性の向上が期待できる。
【０１００】
なお、図１９において、第４回路基板４０５の第４部品４１５は、検知信号判断部４２６、パターン記憶部４４２、判断結果送信部４２０、コアＩＦ部４３９、コア４４０を備える。この第４部品４１５においても、第２部品２１５と同様に、検知信号判断部４２６にて検知信号の正当性を判断し、判断結果送信部４２０はその判断結果を送信する。
【０１０１】
＜正当性の判断手法の他の例＞
図１９、図２０では、予め記憶したパターンを参照することで検知信号の正当性を判断するとして説明したがこれに限られない。
【０１０２】
例えば、図２１に示すように、第１部品のパターン生成部１２４と、第２部品のパターン生成部２２４は共に、擬似ランダムビットシーケンス（ＰＲＢＳ：Pseudo-random bit sequence）を用いたビット列を生成する。両パターン生成部１２４、２２４において、このＰＲＢＳのアルゴリズムや初期シード値は互いに同一である。
【０１０３】
検知信号判断部２２６ａは、第１部品から検知信号（ＰＲＢＳ信号）を受信すると、受信した検知信号に示されるビット列と、パターン生成部２２４で生成したビット列とを比較することにより正当性を判断する。
【０１０４】
＜他の構成例＞
なお、図１９の構成に替えて、検知信号送信部を第２部品に搭載し、検知信号判断部や判断結果送信部を第１部品に搭載するというようにしても構わない。具体的には図２２の通信装置３のようにしても構わない。
【０１０５】
通信装置３は、第１部品１１６を有する第１回路基板１０６、第２部品２１６（検知信号送信部２２３を含む）を有する第２回路基板２０６を備える。図２２の通信装置３における動作の流れを図２３に示す。図２３の各処理は主体が異なる以外は図２０と同一のため同じステップ番号を付して説明を省略する。
【０１０６】
（実施の形態３）
実施の形態３は、回路部品間の通信が無線でなく有線である。
【０１０７】
図２４に示す通信装置４においては、回路基板１０７上に第１部品１１７、第２部品２１７、第４部品４１７が搭載されている。
【０１０８】
第１部品１１７、第２部品２１７間は、外部端子１５１、２５１にそれぞれ接続された導体配線（高速ＩＦ）を介して通信する。また、第１部品１１７、第２部品４１７間は、外部端子１５２、４５１の導体配線を介して通信する。
【０１０９】
このような構成においても、導体配線が不正にプロービングされることがあり、実施の形態２（実施の形態１も可）の技術を適用することにより、当該導体配線部に流れる信号の最高速周波数帯から低周波数帯までを低コストに伝送特性を検出することでき、耐タンパ性の向上が期待できる。
【０１１０】
（実施の形態４）
実施の形態１〜３では、機器内における秘匿データの通信を例に挙げて説明したが、これに限られず、機器間における通信や回路基板間コネクタなどの用途にも広く応用できる。図２６から図２９の例を挙げて説明する。
【０１１１】
図２６に示すように、携帯電話機６００（第１部品の機能を備える）のメモリカードスロットと、メモリカード７００（第２部品の機能を備える）との間において、秘匿データの無線通信を行う際にも実施の形態１〜３で説明した手法を適用することができる。
【０１１２】
図２７に、携帯電話機６００とメモリカード７００の機能ブロック図を示す。図２７中、図２と同様なブロックには図２と同じ符号を付している。
【０１１３】
また、図２８（ａ）は、携帯電話機６０１（第１部品の機能を備える）とクレードル７０１（第２部品の機能を備える）との間で無線通信を行う例を説明する図である。
【０１１４】
携帯電話機６０１は筐体の裏側の表面に無線通信用のアンテナ１３１を有しており、クレードル７０１は携帯電話機６０１の取り付け時にアンテナ１３１と対向する位置（図中、点線囲み位置）にアンテナ２３１が設置されている。両アンテナ１３１，２３１を介して、携帯電話機６０１とクレードル７０１の通信ケーブル７０１ａに接続された各種機器との間で秘匿データの無線通信を行うことができ、また、クレードル７０１が充電機能を有するものであれば、データ通信と充電との両方を行うことができユーザの利便性に資する。
【０１１５】
図２８（ｂ）は、携帯電話機６０１（第１部品の機能を備える）と無接点充電パッド７０２（第２部品の機能を備える）との間で無線通信を行う例を説明する図である。
【０１１６】
携帯電話機６０１および無接点充電パッド７０２は、Ｑｉ（登録商標）規格に準拠したものであり、無接点充電パッド７０２は表面に置かれた携帯電話機６０１を充電する。
【０１１７】
また、無接点充電パッド７０２の表面のアンテナ１３１と対向する位置にアンテナ２３１が設置されており、携帯電話機６０１と無接点充電パッド７０２との間で秘匿データの無線通信を行うことができる。
【０１１８】
図２９は、監視カメラ６０３（第１部品の機能を備える）と通信ユニット７０３（第２部品の機能を備える）との間で無線通信を行う例を説明する図である。
【０１１９】
監視カメラ６０３はその筐体底部に無線通信用のアンテナ１３１を有しており、通信ユニット７０３との間で無線通信を行う。動画サーバ８００は、監視カメラ６０３で撮影した動画データを通信ユニット７０３を介して受信して保存する。
【０１２０】
監視カメラ６０３で撮影した動画データには秘匿性が要求されるところ、本実施の形態によれば秘匿性を確保しつつデータの無線通信を行うことができる。
【０１２１】
また、監視カメラ６０３を天井に設置しようとするとケーブル回りの工事が困難であることがあるが、このように通信路上の一部を無線通信とすることにより、工事を容易にすることができる。
【０１２２】
さらに、監視カメラ６０３が可動型のカメラであれば、通信路上の一部を無線通信とすることで、ケーブルの絡まりなどを防止することができ、カメラの設置範囲や可動範囲を広げることができる。
【０１２３】
なお、図２６〜図２９で例として挙げた装置においては、一方の装置が第１部品の機能、他方の装置が第２部品の機能を備えるとして説明したが、両者が備える機能を交換してもよい。また、両装置の一方または双方が、第１部品および第２部品の両方の機能を備えるとしても構わない。
【０１２４】
また、図２６〜図２９で例として挙げた装置においては、実施の形態１で示した第１部品または第２部品の機能を備えるとしたが、実施の形態２や３で示した第１部品または第２部品の機能を備えるとしてもよい。
（補足１）
以上、実施の形態１〜４について説明したが、上記の内容に限定されず、各実施の形態の目的とそれに関連又は付随する目的を達成するための各種形態においても実施可能であり、例えば、以下であっても構わない。
【０１２５】
（１）パターン生成部１２４が生成するデータパターンの例はテーブル１２４ａ（図３）のようなものに限られない。パターン生成部１２４において、擬似ランダムビットシーケンス（ＰＲＢＳ）を基にビット列を生成し、生成したビット列を変調した検知信号を送信部１２５が送信するとしても構わない。
【０１２６】
（２）実施の形態１では、検知信号送信部１２３は、０１０１などのビット列を検知信号として送信するとして説明したが、正弦波を出力するとしてもよい。正弦波を利用することで、より簡易的に透過特性を調べることができる。
【０１２７】
例えば、合成波ではない単一の正弦波を検知信号として用い、送信周波数をｆ0、ｆ0／２、ｆ0／３（図３の最下部参照）と変化させながら繰り返し送信するとしてもよい。この構成によれば、個々の検知信号の周波数スペクトラムを単一に絞ることが可能なので、より厳密にアンテナの透過特性を検知することが可能となり、耐タンパ性の向上が期待できる。
【０１２８】
（３）検知信号の正当性の判断基準に用いる（参照電圧の値や、多少の不一致でも同一と許容するかどうかなど）については、送受すべき秘匿データの重要さ、正当性のチェックの処理に許容される時間の長さ、などの各種条件に基づいて適宜設定することができる。
【０１２９】
（４）検知信号の周波数スペクトラムを多様にすることに加えて、送信する検知信号に関するドライブ能力にバリエーションを持たせるとしても構わない。図２５の検知信号送信部１２３ａは、例えばＣＭＯＳ（Complementary Metal Oxide Semiconductor）回路から構成されており、２ｍＡ、４ｍＡ、６ｍＡ、８ｍＡの４段階でドライブ能力を切り替えるドライブ能力切替部１２３ｂを備える。ドライブ能力が低いと波形の立ち上がりが鈍くなるので、このドライブ能力を調整することで検知信号をより多様にでき、伝送路上の透過特性の調査に貢献できる。
【０１３０】
（５）図２、図１９、図２２、図２４などにおいては、第１回路基板と第２回路基板とを有する通信装置において、この装置内の部品間通信を例に挙げて説明したが、これに限られない。例えば、第１回路基板を搭載した第１装置と第２回路基板を搭載した第２装置とを有する通信システムにおいて、装置間の通信に各実施の形態の技術を適用するとしてもよい。
【０１３１】
（６）実施の形態１の図４のステップＳ３１３では、検知信号判断部１２６は、受信した変調信号を復調してから正当性を判断するとして説明したがこれに限られない。
【０１３２】
例えば、バッファ１３０に検知信号送信部１２３が送信した信号のアナログ波形を記憶させておき、検知信号判断部１２６は、受信した返信信号のアナログ波形と対応する記憶されたアナログ波形とを比較することにより同一性を判断するとしてもよい。
【０１３３】
（７）各実施の形態では、伝送路上の波形観測の観測治具の例として、プローブやループアンテナを例に挙げたがこれらに限られない。
（補足２）
（１）本実施の形態に係る通信装置は、通信用の第１部品が実装された第１回路基板と、通信用の第２部品が実装された第２回路基板とを有し、両部品間で通信を行う通信装置であって、前記第１部品は、周波数スペクトラムが異なる複数の検知信号を前記第２部品へと送信する送信部を備え、前記第２部品は、受信した検知信号それぞれの信号波形を返信信号として返信する返信部を備え、前記第１部品は、送信した検知信号を参照して、受信した返信信号の正当性を判断する判断部と、前記判断部により不当と判断されると、両部品間の通信を制限する制御部と、を備えることを特徴とする。
【０１３４】
（２）前記複数の検知信号は、第１ビット列を構成するビットによりキャリアを変調して得られた検知信号と、前記第１ビット列における個々の０および１の個数をそれぞれｍ倍（ｍは２以上の自然数）に倍加したビット列を構成するビットによりキャリアを変調して得られた検知信号とを含むとしても構わない。
【０１３５】
（３）（２）において、前記複数の検知信号は、前記第１ビット列とは０および１の並びが異なる第２ビット列を構成するビットによりキャリアを変調して得られた検知信号と、前記第２ビット列における個々の０および１の個数をそれぞれｎ倍（ｎは２以上の自然数）に倍加したビット列を構成するビットによりキャリアを変調して得られた検知信号とをさらに含むとしても構わない。
【０１３６】
なお、ｍやｎは２以上の自然数であれば構わないが、その上限値は例えば３０である。
【０１３７】
（４）（１）において、前記判断部が受信する電位の閾値を変更する閾値変更部を備えるとしても構わない。
【０１３８】
（５）（１）において、前記第１部品および前記第２部品はそれぞれアンテナを有し、それら２つの部品は、互いのアンテナが配置された部分を対向させた状態で密着型の無線通信を行うとしても構わない。
【０１３９】
（６）（１）において、前記複数の検知信号は、周波数が異なる正弦波の信号であるとしても構わない。
【０１４０】
（７）（１）において、前記複数の検知信号のそれぞれは、疑似ランダムビットシーケンスから生成されたビット列を構成するビットによりキャリアを変調して得られた検知信号であるとしても構わない。
【０１４１】
（８）本実施の形態に係る通信装置は、通信用の第１部品が実装された第１回路基板と、通信用の第２部品が実装された第２回路基板とを有し、両部品間で通信を行う通信装置であって、前記第１部品は、周波数スペクトラムが異なる複数の検知信号を前記第２部品へと送信する送信部を備え、前記第２部品は、受信すべきの検知信号の情報を記憶する記憶部と、記憶された情報に参照して、受信した検知信号の正当性を判断する判断部と、前記判断部による判断結果を前記第１部品へと送信する送信部を備え、前記第１部品は、受信した判断結果により不当と示されると、両部品間の通信を制限する制御部を備えることを特徴とする。
【０１４２】
（９）本実施の形態に係る通信装置は、通信用の第１部品が実装された第１回路基板と、通信用の第２部品が実装された第２回路基板とを有し、両部品間で通信を行う通信装置であって、前記第２部品は、周波数スペクトラムが異なる複数の検知信号を前記第１部品へと送信する送信部を備え、前記第１部品は、受信した検知信号の正当性を判断する判断部と、前記判断部により不当と判断されると、両部品間の通信を制限する制御部と、を備えることを特徴とする。
【０１４３】
（１０）本実施の形態に係る通信システムは、通信用の第１部品が実装された第１回路基板を有する第１装置と、通信用の第２部品が実装された第２回路基板を有する第２装置とを有し、両装置間で通信を行う通信システムであって、前記第１部品は、周波数スペクトラムが異なる複数の検知信号を前記第２部品へと送信する送信部を備え、前記第２部品は、受信した検知信号それぞれの信号波形を返信信号として返信する返信部を備え、前記第１部品は、送信した検知信号を参照して、受信した返信信号の正当性を判断する判断部と、前記判断部により不当と判断されると、両部品間の通信を制限する制御部と、を備えることを特徴とする。
【０１４４】
（１１）本実施の形態に係る通信装置は、通信用の第１部品が実装された第１回路基板と、通信用の第２部品が実装された第２回路基板とを有し、両部品間で通信を行う通信装置であって、前記第１部品は、疑似ランダムビットシーケンスから生成されたビット列を構成するビットによりキャリアを変調して得られた検知信号を前記第２部品へと送信する送信部を備え、前記第２部品は、受信した検知信号それぞれの信号波形を返信信号として返信する返信部を備え、前記第１部品は、送信した検知信号を参照して、受信した返信信号の正当性を判断する判断部と、前記判断部により不当と判断されると、両部品間の通信を制限する制御部と、を備えることを特徴とする。
【０１４５】
（１２）本実施の形態に係る通信装置は、他装置との間で通信を行う通信装置であって、周波数スペクトラムが異なる複数の検知信号を前記他装置へと送信する送信部と、前記検知信号それぞれの信号波形を返信信号として前記他装置から受信すると、受信した返信信号の正当性を判断する判断部と、前記判断部により不当と判断されると、前記他装置との間の通信を制限する制御部と、を備えることを特徴とする。
【０１４６】
（１３）（１２）において、前記複数の検知信号は、第１ビット列を構成するビットによりキャリアを変調して得られた検知信号と、前記第１ビット列における個々の０および１の個数をそれぞれｍ倍（ｍは２以上の自然数）に倍加したビット列を構成するビットによりキャリアを変調して得られた検知信号とを含むとしても構わない。
【０１４７】
（１４）（１３）において、前記複数の検知信号は、前記第１ビット列とは０および１の並びが異なる第２ビット列を構成するビットによりキャリアを変調して得られた検知信号と、前記第２ビット列における個々の０および１の個数をそれぞれｎ倍（ｎは２以上の自然数）に倍加したビット列を構成するビットによりキャリアを変調して得られた検知信号とをさらに含むとしても構わない。
【０１４８】
（１５）（１２）において、前記判断部が受信する電位の閾値を変更する閾値変更部を備えるとしても構わない。
【０１４９】
（１６）他装置との間で通信を行う通信装置であって、周波数スペクトラムが異なる複数の検知信号を受信すると、受信した検知信号それぞれの信号波形を返信信号として返信する返信部を備えるとしても構わない。
【０１５０】
（１７）（１６）において、前記他装置は、周波数スペクトラムが異なる複数の検知信号を前記他装置へと送信する送信部と、前記検知信号それぞれの信号波形を返信信号として前記他装置から受信すると、受信した返信信号の正当性を判断する判断部と、前記判断部により不当と判断されると、前記他装置との間の通信を制限する制御部としても構わない。
【産業上の利用可能性】
【０１５１】
本実施の形態に係る通信装置は、耐タンパ性確保しつつ、秘匿性を有する信号を伝送できるため有用である。
【符号の説明】
【０１５２】
１、２、３、４  通信装置
１００、１０５  第１回路基板
１１０、１１５、１１６  第１部品
１２１  ＣＰＵ
１２２  コア
１２３  検知信号送信部
１２４  パターン生成部
１２５  送信部
１２６  検知信号判断部
１２７  耐タンパ制御部
１２８  外部バスＩＦ部
１２９  メモリＩＦ部
１３０  バッファ
１３１、１３１ａ、１３１ｂ、１３１ｃ  アンテナ
１３２  内部バス
１３３  外部端子
１４０  コアＩＦ部
１４１  アンテナ
２００、２０５  第２回路基板
２１０、２１５  第２部品
２２０  判断結果送信部
２２３  検知信号送信部
２２４  パターン生成部
２２６、２２６ａ  検知信号判断部
２２９  メモリＩＦ部
２３０  メモリ部
２３１  アンテナ
２３２  内部バス
２３３  検知信号返信部
２４２  パターン記憶部
３１０  第３部品
４０５  第４回路基板
４１５  第４部品
４３１  アンテナ
５００、５０１  プローブ
５０２〜５０５  ループアンテナ
６００、６０１  携帯電話機（通信装置の例）
６０３  監視カメラ（通信装置の例）
７００  メモリカード（通信装置の例）
７０１  クレードル（通信装置の例）
７０２  無接点充電パッド（通信装置の例）
７０３  通信ユニット（通信装置の例）
【図１】
2012176360.tif 000003
【図２】
2012176360.tif 000004
【図３】
2012176360.tif 000005
【図４】
2012176360.tif 000006
【図５】
2012176360.tif 000007
【図６】
2012176360.tif 000008
【図７】
2012176360.tif 000009
【図８】
2012176360.tif 000010
【図９】
2012176360.tif 000011
【図１０】
2012176360.tif 000012
【図１１】
2012176360.tif 000013
【図１２】
2012176360.tif 000014
【図１３】
2012176360.tif 000015
【図１４】
2012176360.tif 000016
【図１５】
2012176360.tif 000017
【図１６】
2012176360.tif 000018
【図１７】
2012176360.tif 000019
【図１８】
2012176360.tif 000020
【図１９】
2012176360.tif 000021
【図２０】
2012176360.tif 000022
【図２１】
2012176360.tif 000023
【図２２】
2012176360.tif 000024
【図２３】
2012176360.tif 000025
【図２４】
2012176360.tif 000026
【図２５】
2012176360.tif 000027
【図２６】
2012176360.tif 000028
【図２７】
2012176360.tif 000029
【図２８】
2012176360.tif 000030
【図２９】
2012176360.tif 000031
【図３０】
2012176360.tif 000032
【図３１】
2012176360.tif 000033
【国際調査報告】
2012176360.tif 000034
2012176360.tif 000035